(57)【要約】【課題】水面近くを泳いでいる魚群の探知を可能とする。【解決手段】船に取り付けられるクランプ７と、クランプ７に取り付けられ端部２３を水面５下に位置させ得る支持杆９と、支持杆９の端部２３に首振り調整可能に支持され超音波の発受信方向を水深方向及びこれに交差する方向へ変更調整可能な超音波振動子１３と、超音波振動子１３の発受信方向を変更調整する操作手段１５とを備え、クランプ７と支持杆９との間に、支持杆９の中間部を回転可能に支持する回動手段１１を設け、回動手段１１は、支持杆９を超音波振動子１３が水中に位置する使用状態と水面上に位置する格納状態とに回転移動させ得ることを特徴とする。【選択図】　　　図１
2004020276.tif 000002
【特許請求の範囲】
【請求項１】
船に取り付けられるクランプと、
該クランプに取り付けられ端部を水面下に位置させ得る支持杆と、
前記支持杆の端部に首振り調整可能に支持され超音波の発受信方向を水深方向及びこれに交差する方向へ変更調整可能な超音波振動子と、
前記超音波振動子の発受信方向を変更調整する操作手段とを備えたことを特徴とする魚群探知装置。
【請求項２】
請求項１記載の魚群探知装置であって、
前記クランプと支持杆との間に、該支持杆の中間部を回転可能に支持する回動手段を設け、
該回動手段は、前記支持杆を前記超音波振動子が水中に位置する使用状態と水面上に位置する格納状態とに回転移動させ得ることを特徴とする魚群探知装置。
【請求項３】
請求項２記載の魚群探知装置であって、
前記回動手段は、前記支持杆を前記超音波振動子が水中に位置する使用状態に付勢する付勢手段及び該付勢手段による付勢力を受け止めて前記支持杆を前記使用状態に対応して位置決めるストッパ手段と、前記支持杆を前記超音波振動子が水面上に位置する格納状態に対応して位置決めるロック手段とを備えたことを特徴とする魚群探知装置。
【請求項４】
請求項２又は３記載の魚群探知装置であって、
前記回動手段は、前記クランプにより前記支持杆が前記船の右舷又は左舷に取り付けられたとき該回動手段を境として前記支持杆の超音波振動子側を前記船の進行方向後方側へ回転移動させることを特徴とする魚群探知装置。
【請求項５】
請求項２又は３記載の魚群探知装置であって、
前記回動手段は、前記クランプにより前記支持杆が前記船の後部の右舷寄り又は左舷寄りに取り付けられたとき該回動手段を境として前記支持杆の超音波振動子側を前記船の中央部側へ回転移動させることを特徴とする魚群探知装置。
【発明の詳細な説明】
【０００１】
【発明の属する技術分野】
本発明は、小型船等に取り付けられる簡易な魚群探知装置に関する。
【０００２】
【従来の技術】
従来より小型船等で用いられる簡易な魚群探知装置としては、例えば特開２００２−６０３８号公報に記載されたものなどがある。この魚群探知装置は、超音波を発受信する超音波振動子がガイド竿に糸を介して吊り下げられたものである。また、超音波振動子が小型船の船底に取り付けられたものも等も存在する。いずれの場合も水深方向にのみ超音波を発信することにより、どれぐらいの水深位置に魚群が存在するかを検出できるようになっている。
【０００３】
【発明が解決しようとする課題】
しかしながら、上記のように水深方向でのみ魚群を探知する構成であると、例えば船の真下から少し離れた所にいるバス等のような魚を探知することは困難であるという問題があった。
【０００４】
これに対し、大型船などでは超音波の発受信方向を変更調整可能にしたものが存在する。しかしながら、大型船の構造をそのまま単純に小さくして小型船に適用することはできず、構造が複雑となり著しく高価な魚群探知装置となるという問題がある。
【０００５】
本発明は、簡易かつ安価でありながら超音波の発受信方向を水深方向及びこれに交差する方向へ変更調整可能な魚群探知装置の提供を課題とする。
【０００６】
【課題を解決するための手段】
請求項１の発明は、船に取り付けられるクランプと、該クランプに取り付けられ端部を水面下に位置させ得る支持杆と、前記支持杆の端部に首振り調整可能に支持され超音波の発受信方向を水深方向及びこれに交差する方向へ変更調整可能な超音波振動子と、前記超音波振動子の発受信方向を変更調整する操作手段とを備えたことを特徴とする。
【０００７】
請求項２の発明は、請求項１記載の魚群探知装置であって、前記クランプと支持杆との間に、該支持杆の中間部を回転可能に支持する回動手段を設け、該回動手段は、前記支持杆を前記超音波振動子が水中に位置する使用状態と水面上に位置する格納状態とに回転移動させ得ることを特徴とする。
【０００８】
請求項３の発明は、請求項２記載の魚群探知装置であって、前記回動手段は、前記支持杆を前記超音波振動子が水中に位置する使用状態に付勢する付勢手段及び該付勢手段による付勢力を受け止めて前記支持杆を前記使用状態に対応して位置決めるストッパ手段と、前記支持杆を前記超音波振動子が水面上に位置する格納状態に対応して位置決めるロック手段とを備えたことを特徴とする。
【０００９】
請求項４の発明は、請求項２又は３記載の魚群探知装置であって、前記回動手段は、前記クランプにより前記支持杆が前記船の右舷又は左舷に取り付けられたとき該回動手段を境として前記支持杆の超音波振動子側を前記船の進行方向後方側へ回転移動させることを特徴とする。
【００１０】
請求項５の発明は、請求項２又は３記載の魚群探知装置であって、前記回動手段は、前記クランプにより前記支持杆が前記船の後部の右舷寄り又は左舷寄りに取り付けられたとき該回動手段を境として前記支持杆の超音波振動子側を前記船の中央部側へ回転移動させることを特徴とする。
【００１１】
【発明の効果】
請求項１の発明では、船にクランプを取り付け、該クランプに支持杆を支持して水面下に位置する支持杆の端部に超音波振動子を首振り調整可能に支持することができる。そして、操作手段によって超音波振動子の発受信方向を変更調整し、超音波の発受信方向を水深方向及びこれに交差する方向へ変更調整することが可能となる。
【００１２】
従って、魚群が船に対して水深方向に位置する場合に限らず、船から少し離れた位置にいる魚群に対しても超音波振動子を向けて超音波の発受信を行うことができ、水面よりすぐ下を泳いでいる魚群を的確に探知することができる。
【００１３】
しかも、超音波振動子を船に取り付けられるクランプに取り付けられた支持杆に首振り調整可能に支持し、操作手段によって変更調整するという簡単な構造によって、超音波の発受信方向を変更調整することができ、簡易な構造によって安価に製造することができる。
【００１４】
請求項２の発明では、請求項１の発明の効果に加え、前記クランプと支持杆との間に該支持杆の中間部を回転可能に支持する回動手段を設けたため、前記支持杆を前記超音波振動子が水中に位置する使用状態と水面上に位置する格納状態とに回転移動させることができる。従って、船が進行する場合に、支持杆及び超音波振動子が水の抵抗を受けることがなく、船の進行を円滑に行わせることができる。
【００１５】
請求項３の発明では、請求項２の発明の効果に加え、前記回動手段は、前記支持杆を前記超音波振動子が水中に位置する使用状態に付勢する付勢手段及び該付勢手段による付勢力を受け止めて前記支持杆を前記使用状態に対応して位置決めるストッパ手段を備えたため、支持杆を使用状態で確実に位置決め、超音波振動子による超音波の発受信を調整された方向に対し的確に行うことができる。
【００１６】
また前記支持杆を前記超音波振動子が水面上に位置する格納状態に対応してロック手段によって確実に位置決めることができる。従って、船が進行する際に支持杆の超音波振動子側が水の抵抗を受けることがなく、船の進行をより確実且つ円滑に行わせることができる。
【００１７】
請求項４の発明では、請求項２又は３の発明の効果に加え、前記回動手段は、前記クランプにより前記支持杆が前記船の右舷又は左舷に取り付けられたとき該回動手段を境として前記支持杆の超音波振動子側を前記船の進行方向後方側へ回転移動させることができる。従って、超音波振動子により魚群探知をしながら船を進行させるとき、水中の異物が支持杆に当たって支持杆に船の進行方向後方側へ無理な力が作用しても、前記のように回動手段を境として前記支持杆の超音波振動子側が船の進行方向後方側へ回転移動することで異物を逃がすことができる。このため、水中の異物が支持杆に当たってもクランプ等に無理な力が働くのを抑制することができ、クランプ等の破損、船からの離脱等を抑制することができ、簡単な構造で魚群探知を正確に行わせることができる。
【００１８】
請求項５の発明では、請求項２又は３の発明の効果に加え、前記クランプにより支持杆を前記船の後縁の右舷寄り又は左舷寄りに取り付けたとき、前記回動手段によって前記支持杆の超音波振動子側を前記船の中央部側へ回動移動させることができる。従って、支持杆の超音波振動子側が船の右舷寄り又は左舷寄りに突出するのを抑制することができ、右舷側又は左舷側を接岸するような場合等にも、支持杆の超音波振動子側が邪魔にならず、接岸等を円滑に行わせることができる。
【００１９】
【発明の実施の形態】
図１、図２は本発明の一実施形態に係り、図１は魚群探知装置１を備えた船として小型船であるボート３を水面５との関係で示した正面図、図２は同右舷側側面図、図３は同平面図である。この図１，図２，図３のように、前記魚群探知装置１はクランプ７と、支持杆９と、回動手段１１と、超音波振動子１３と、操作手段１５とを備えている。前記超音波振動子１３は、配線１７によって探知器１９に接続されている。
【００２０】
前記クランプ７は、船の縁である前記ボート３の右舷の縁部２１に取り付けられている。前記支持杆９は、前記クランプ７に取り付けられ、一方の端部２３が水面５下に位置している。前記回動手段１１は、前記クランプ７と支持杆９との間に設けられ、支持杆９の中間部を回転可能に支持している。
【００２１】
前記超音波振動子１３は、前記支持杆９の端部２３に首振り調整可能に支持され、超音波の発受信方向を水深方向及びこれに交差する方向である斜め方向、水平方向などに変更調整可能となっている。
【００２２】
前記操作手段１５は、前記超音波振動子１３の発受信方向を変更調整するものである。
【００２３】
また本実施形態では、支持杆９を回動手段１１に対し軸周りに回転させることができ、例えば図１のように超音波振動子１３を水深方向に対しθの角度を有して斜めに変更調整された状態で、さらに水平方向に回動させることができる。
【００２４】
前記探知器１９はバッテリによって駆動され、前記超音波振動子１３を駆動して超音波を発信させ、超音波振動子１３が受信した信号を受けて発信から受信までの往復時間を距離に換算し、発受信方向が水深方向である場合には深度として表示する。また反射波の強弱により魚群の大きさや密度あるいは海底の形状や底質を画像に識別表示する。
【００２５】
前記超音波振動子１３による超音波の発受信方向が水深方向に交差する図１のような場合には、超音波の発信から受信までの往復時間を距離Ｌに換算する。また深度としては超音波振動子１３の水深方向に対する斜めの角度θ及び水面５からの水深Ｈ１を探知器１９にテンキー操作などによって入力し、あるいは検出によって自動的に入力することにより、水深Ｈ及び水平距離Ｓを例えば次のように演算する。
【００２６】
Ｈ＝Ｈ１＋Ｈ２＝Ｈ１＋Ｌｃｏｓθ　　…（１）
Ｓ＝Ｌｓｉｎθ　　　　　　　　　　　…（２）
なお、前記超音波振動子１３の水面５からの水深Ｈ１をセンサによって検出する場合には、回動手段１１と支持杆９との間に位置センサを設け、該位置センサの検出値から換算することになる。またＨ１をテンキーの操作によって手動で入力する場合には、支持杆９と回動手段１１との間に目盛りを付けておき、該目盛りを読み込むことによってＨ１を入力することができる。
【００２７】
前記水深方向に対する角度θは、支持杆９と超音波振動子１３との間に設けた回転角センサ等により検出し、探知器１９に入力することができる。また角度θを手動で入力する場合には、操作手段１５と支持杆９との間に角度θに対応した目盛りを付けておくことにより、該目盛りを読み込んで探知器１９に入力することができる。
【００２８】
前記支持杆９の超音波振動子１３側は、その使用状態で水中に位置しているため、ボート３を進行させる場合には水の抵抗を受け易くなっている。このため前記回動手段１１によって前記支持杆９を前記超音波振動子１３が水中に位置する使用状態と水面上に位置する図２鎖線図視上位側の格納状態とに回転移動させ得る構成となっている。
【００２９】
すなわち図２の格納状態では、支持杆９の超音波振動子１３側が水面５上に位置し、ボート３の進行に伴って支持杆９の超音波振動子１３側が水の抵抗を受けることがなく、ボート３を円滑に進行させることができる。
【００３０】
また、前記回動手段１１は、前記クランプ７により前記支持杆９が前記ボート３の右舷に取り付けられたとき該回動手段１１を境として前記支持杆９の超音波振動子１３側を前記ボート３の進行方向後方側へ図２鎖線図視中位のように回転移動させることができる。従って、超音波振動子１３により魚群探知をしながらボート３を進行させるとき、水中の異物Ｗが支持杆９に当たって支持杆９にボート３の進行方向後方側へ無理な力が作用しても、前記のように回動手段１１を境として前記支持杆９の超音波振動子１３側が船の進行方向後方側へ回転移動することで異物Ｗを逃がすことができる。このため、水中の異物Ｗが支持杆９に当たってもクランプ７等に無理な力が働くのを抑制することができ、クランプ７等の破損、船からの離脱等を抑制することができ、簡単な構造で魚群探知を正確に行わせることができる。
【００３１】
なお、魚群探知装置１のクランプ７、支持杆９等を、ボート３の左舷に取り付けたときも同様に構成することができる。
【００３２】
次に、図４〜図１３を用いて具体的構造をさらに説明する。図４はクランプ７及び支持杆９などをボート３から取り外して示す斜視図、図５は同側面図、図６は同平面図、図７はクランプの正面図、図８は回動手段を説明する要部の拡大断面図、図９は回動手段を説明する同正面図、図１０は押さえプレートを示し、（ａ）は正面図、（ｂ）は側面図、図１１は付勢手段として右舷用のコイルスプリングを示し、（ａ）は断面図、（ｂ）は側面図、図１２、図１３は超音波振動子の回動操作を説明する斜視図である。
【００３３】
図４〜図７のように、前記クランプ７は、クランプブラケット２５と締結具２７とからなっている。前記クランプブラケット２５は樹脂で形成され、一対の足部２９，３１を備えている。一方の足部２９には、前記締結具２７が螺合支持されている。締結具２７の螺合支持は前記足部２９に固定された六角ナット３３に締結具２７のねじ軸３５が螺合することによって行われている。締結具２７には、ねじ軸３５の前端にスラストパッド３７が設けられ、後端にノブ３９が設けられている。
【００３４】
前記足部３１の後面４１は、ボート３の縁部２１の外面に当接する固定面として構成されている。前記足部３１には、外筒部４３が設けられている。外筒部４３の前面には、フランジ部４５が設けられている。フランジ部４５の上下中央において左右一側に図７のようにストッパピン４７が突設されている。前記外筒部４３の先端側上部には、ロック孔４８が貫通形成されている。前記外筒部４３に対し、ヒンジブラケット４９が軸周りに回転可能に支持されている。
【００３５】
図８，図９をも参照すると、前記ヒンジブラケット４９には、上下に支持部５１，５３が設けられている。前記支持部５１は、固定側部５５と着脱可能な押さえプレート５７とを備えている。固定側部５５は、円弧状の凹部５９と両側の突き当て部６１とからなっている。突き当て部６１には雌ねじ部６３が設けられている。
【００３６】
前記押さえプレート５７は、図１０をも参照すると、円弧状の凹部６５と突き当て部６７とからなっている。突き当て部６７には貫通孔６９が設けられている。この押さえプレート５７の突き当て部６７を前記固定側部５５の突き当て部６７に対向させ、凹部５９，６５で支持杆９の外面を包囲して支持する円弧を構成することができる。
【００３７】
前記押さえプレート５７は、貫通孔６９を貫通させた図６で示す締結具７１を固定側部５５の雌ねじ部６３に締め込むことによって、凹部５９，６５により支持杆９を締結支持することができる。支持杆９の締結状態において対向部６１，６７間には図８のように隙間７３が構成されている。従って、支持杆９をヒンジブラケット４９に締結具７１の締め込みによって所定の締結力により支持させることができる。この状態で支持杆９は支持部５１において一定の締結力により軸周りに回転可能かつ軸方向へは摩擦係合によって移動不能に支持されている
前記支持部５３は、図８，図９のように壁部７５によって囲まれた断面Ｕ字状の凹部７７を備えている。凹部７７の奥側の面は、前記凹部５９の円弧状と同様な曲率の円弧状に形成されている。従って、凹部７７により支持杆９の外面をガイド支持することができる。
【００３８】
前記ヒンジブラケット４９には、前記外筒部４３に嵌合する内筒部７９が設けられている。外筒部４３と内筒部７９との間には、付勢手段としてコイルスプリング８１が介設されている。
【００３９】
前記コイルスプリング８１には、図１１に示すように、両端部に係合部８３，８５が設けられている。係合部８３は前記外筒部４３の係止凹部８７に周方向に係合し、前記係合部８５は前記内筒部７９の係止穴部８９に嵌合係止されている。
【００４０】
前記コイルスプリング８１の後端には、外筒部４３と内筒部７９との間において樹脂ワッシャ９１が配置され、内筒部７９に係合する止め輪９３によって抜け止めが行われている。
【００４１】
前記外筒部４３、内筒部７９、及びコイルスプリング８１は、前記回動手段１１を構成している。すなわち前記ヒンジブラケット４９をクランプブラケット２５に対し図９の矢印Ａ方向の格納状態へ回転移動させることができる。前記コイルスプリング８１は、図９の使用状態を維持するようにヒンジブラケット４９をクランプブラケット２５に対して回動付勢している。この図９の状態は、前記超音波振動子１３が水中に位置する図１の使用状態となっている。
【００４２】
前記内筒部７９の根元側には、図９のように外筒部４３外においてストッパ係合部９５，９７が設けられている。ストッパ係合部９５は右舷用であり、ストッパ係合部９７は左舷用となっている。従って、ヒンジブラケット４９は右舷用、左舷用に共用することができる。
【００４３】
本実施形態は、右舷用として用いられているため、前記コイルスプリング８１の付勢力に対しストッパ係合部９５が前記ストッパピン４７に係合して受け止め、前記支持杆９を前記使用状態に対応して位置決める構成となっている。従って、本実施形態においてストッパ係合部９５、ストッパピン４７はストッパ手段を構成している。
【００４４】
前記内筒部７９には、図８のようにロック孔９９が設けられている。ロック孔９９は、前記支持杆９を前記超音波振動子１３が水面上に位置する格納状態としたとき、前記外筒部４３のロック孔４８に対向する。この両ロック孔４８，９９に対し、図４で示すロックピン１０１を差し込むことによって、クランプブラケット２５に対しヒンジブラケット４９を格納状態でロックすることができる。この状態で前記支持杆９を前記超音波振動子１３が水面５上に位置する格納状態に対応して位置決めることができ、ロック孔４８，９９、ロックピン１０１は本実施形態においてロック手段を構成している。前記ロックピン１０１は、前記ねじ軸３５等に紐１０２で支持されている。
【００４５】
前記支持杆９は、例えばアルミパイプで形成され、その中間部が前記ヒンジブラケット４９に支持されている。前記支持杆９の上下には、樹脂キャップ１０３，１０５が設けられている。
【００４６】
前記操作手段１５は、操作ノブ１０７と操作ロッド１０９とを備えている。また本実施形態において、前記操作手段１５は前記樹脂キャップ１０３に一体に設けられた操作アーム１１１を備えている。
【００４７】
前記操作ノブ１０７は、前記操作ロッド１０９の先端に取り付けられている。操作ロッド１０９には、操作ノブ１０７側においてストッパ１１３が設けられている。ストッパ１１３は前記樹脂キャップ１０３の端面に当接して操作ロッド１０９の樹脂キャップ１０３に対する押し込め移動を位置決める。前記樹脂キャップ１０３には、固定具１１５が螺合されている。固定具１１５を締め込むことによって、固定具１１５先端が前記操作ロッド１０９に突き当たり、操作ロッド１０９を任意の位置で位置決めることができる。
【００４８】
前記操作ロッド１０９の他端は、前記樹脂キャップ１０５を貫通してベルクランク１１７の一端に回転自在に結合されている。ベルクランク１１７は、前記樹脂キャップ１０５に設けられたブラケット１１９に回転自在に支持されている。ベルクランク１１７には、前記超音波振動子１３が支持されている。なお、配線１７は、前記支持杆９内を通されている。
【００４９】
前記支持杆９等を前記ボート３の右舷の縁部２１に取り付けるには、クランプ７の締結具２７を緩め、後面４１とスラストパッド３７との間の間隔を広げる。この状態において、クランプ７をボート３の縁部２１の上縁を跨がせるように装着する。この状態でクランプ７の後面４１はボート３の縁部２１外面に対向し、スラストパッド３７は同内面に対向する。
【００５０】
次いで、締結具２７のノブ３９を回して、ねじ軸３５を六角ナット３３に対して螺合移動させ、スラストパッド３７をボート３の右舷の縁部２１内面に突き当てる。さらに縁部２１を後面４１とスラストパッド３７とで締め上げることによって支持杆９等は図１，図２のようにボート３の右舷の縁部２１に簡単に取り付けられる。
【００５１】
このような支持杆９の取り付けにより、図２のように超音波振動子１３が水中に位置する使用状態にセットすることができる。この状態は、コイルスプリング８１の付勢力によって外筒部４３に対し内筒部７９が回転付勢され、ストッパ係合部９５がストッパピン４７に係合することによって位置決められ、支持杆９をほぼ垂直状態の使用状態に確実にセットすることができる。
【００５２】
図１〜図３，図５の使用状態で、前記固定具１１５を緩め、操作ノブ１０７を押し込めあるいは押し上げることによって、操作ロッド１０９を介しベルクランク１１７をブラケット１１９に対して回動させることができる。
【００５３】
このベルクランク１１７の回動によって、超音波振動子１３を図５の実線図示及び図１２の状態から図５一点鎖線図示及び図１３へのほぼ９０°の範囲で回動させ、発受信方向を変更調整することができる。なお角度θは９０°以上の範囲、同以下の範囲で調整するように構成することも可能である。
【００５４】
また支持杆９は支持部５１において一定の締結力により軸周りに回転可能かつ軸方向へは摩擦係合によって移動不能に支持されているため、操作アーム１１１を把持して支持杆９をヒンジブラケット４９に対し軸周りに回転させることができる。これによって例えば図５の一点鎖線図示の方向に向いた超音波振動子１３を紙面直交方向に回動させることにより、ほぼ３６０°回転させて超音波振動子１３を振り向けることができる。
【００５５】
このような超音波振動子１３の変更調整によって、図１のようにボート３の真下から少し離れた所にいるバス等の魚群Ｇを的確かつ容易に探知することができる。また前記のように、超音波振動子１３を水深方向及びこれに交差する方向と水平方向の回動によって変更調整することができるため、魚群Ｇが水面５の近くにおいてボート３の後方、側方、前方のいずれにいる場合でも的確に探知することができる。
【００５６】
前記支持杆９を図３の鎖線図視の格納状態とするには、支持杆９を把持して超音波振動子１３側がボート３の中央側へ回動するように操作する。これによってヒンジブラケット４９がクランプブラケット７に対して図９の矢印Ａ方向へ回動する。
【００５７】
前記支持杆９がほぼ９０°回転移動したところで、ロック孔４８，９９が対向する。この対向位置で、図４で示すロックピン１０１をロック孔４８，９９に差し込み、ヒンジブラケット４９をクランプ７に対し固定する。従って、支持杆９を図３の格納状態で確実に固定することができる。
【００５８】
図１４，図１５は左舷用のクランプ７Ａ及びコイルスプリング８１Ａを示している。図１４はクランプ７Ａの正面図、図１５（ａ）はコイルスプリング８１Ａの断面図、（ｂ）は同側面図である。
【００５９】
図１４のように、左舷用のクランプ７Ａでは、ストッパピン４７Ａが前記図７の右舷用のストッパピン４７に対し１８０°ずれた反対側に設けられている。またコイルスプリング８１Ａは、前記図１１の右舷用のものに対して係合部８３、８５の位置が逆位置に設定されている。これに応じて、クランプ７の外筒部４３に形成された係止凹部８７、ヒンジブラケット４９の内筒部７９に形成された係止穴部８９も逆位置に設定されている。
【００６０】
このようなクランプ７Ａとコイルスプリング８１Ａを用いた場合には、クランプ７Ａによって支持杆９がボート３の左舷に取り付けられることになる。また支持杆９の格納位置では、図２と同様にボート３の後方側へ回動させた形態となる。
【００６１】
このようにクランプ７，７Ａ、コイルスプリング８１，８１Ａを交換するだけで右舷用、左舷用のいずれにも適用することができ、部品の共用化が図れ、容易かつ安価に対応することができる。
【００６２】
また回動手段１１は、右舷用、左舷用のいずれか一方にのみ対応する構造にすることなく、コイルスプリングのばね力が両方向に作用するように構成し、右左舷両用とすることも可能である。例えば、右舷用、左舷用のコイルスプリングを一対設け、いずれの方向からも使用状態に付勢する構造とし、支持杆９の使用状態において双方のばね力が釣り合うように構成する。これにより右舷用、左舷用のいずれにも対応することができる。この場合、ストッパピン４７，４７Ａは不要となる。
【００６３】
なお、超音波振動子１３は上下方向にのみ発受信方向を調整可能に構成することもできる。
【００６４】
またボート３は小型の船であればモーターボート、クルーザ等にも適用することは可能である。
【００６５】
前記操作手段１５は、手動によって操作する構成としたが、小型モータとラックアンドピニオン等を用いることによって駆動することも可能である。
【００６６】
上記実施形態では支持杆９をボート３の右舷又は左舷に取り付ける構造としたが、ボート３の先端部あるいは後縁部に取り付けることもできる。
【００６７】
図１６，図１７は、前記クランプ７により支持杆９を、ボート３の後部に取り付けた実施形態を示し、図１６は使用状態の平面図、図１７は格納状態の平面図である。なお、魚群探知装置１の全体的な構成は上記実施形態のものと同様であり、対応する構成には同符号を付して説明する。
【００６８】
本実施形態において、回動手段１１は、前記クランプ７により前記支持杆９等がボート３の後縁部２１Ａの右舷寄りに取り付けられたとき、回動手段１１を境として前記支持杆９の超音波振動子１３側を前記ボート３の中央部側へ回動変位させるようにしている。回動手段１１は、前記クランプ７により前記支持杆９等が前記ボート３の後縁部２１Ａの左舷寄りに取り付けられたときは、図１７とは逆の状態に回動することになる。
【００６９】
このような回動によって、格納状態において支持杆９の超音波振動子１３側がボート３の右舷側又は左舷側に大きく突出することがなく、ボート３を接岸させるような場合においても支持杆９の超音波振動子１３側が邪魔になることが抑制され、接岸等を円滑に行うことができる。
【００７０】
本実施形態では、支持杆９全体をボート３のほぼ幅内に収める形態となっており、ボート３の操作に際して格納状態の支持杆９全体がボート３操作等の障害になることを抑制できる。
【図面の簡単な説明】
【図１】本発明の一実施形態に係る魚群探知装置を備えたボートの正面図である。
【図２】一実施形態に係り、支持杆使用状態のボートの右舷側の側面図である。
【図３】一実施形態に係り、支持杆格納状態のボートの平面図である。
【図４】一実施形態に係り、クランプ及び支持杆周辺の斜視図である。
【図５】一実施形態に係り、クランプ及び支持杆周辺の側面図である。
【図６】一実施形態に係り、クランプ及び支持杆周辺の平面図である。
【図７】一実施形態に係り、クランプの正面図である。
【図８】一実施形態に係り、回動手段周辺の要部拡大断面図である。
【図９】一実施形態に係り、ヒンジブラケットの正面図である。
【図１０】一実施形態に係り、（ａ）は押さえプレートの側面図、（ｂ）は同正面図である。
【図１１】一実施形態に係り、（ａ）はコイルスプリングの断面図、（ｂ）は同側面図である。
【図１２】一実施形態に係り、操作状態を示す側面図である。
【図１３】一実施形態に係り、操作状態を示す側面図である。
【図１４】一実施形態に係り、左舷用のクランプを示す正面図である。
【図１５】左舷用のコイルスプリングを示し、（ａ）は断面図、（ｂ）は側面図である。
【図１６】本発明の他の実施形態に係り、支持杆使用状態のボートの平面図である。
【図１７】他の実施形態に係り、支持杆格納状態のボートの平面図である。
【符号の説明】
１　魚群探知装置
３　ボート（船）
５　水面
７，７Ａ　クランプ
９　支持杆
１１　回動手段
１３　超音波振動子
１５　操作手段
２３　端部
４７，４７Ａ　ストッパピン（ストッパ手段）
４８，９９　ロック孔（ロック手段）
８１，８１Ａ　コイルスプリング（付勢手段）
９５，９７　ストッパ係合部（ストッパ手段）
１０１　ロックピン（ロック手段）
【図１】
2004020276.tif 000003
【図２】
2004020276.tif 000004
【図３】
2004020276.tif 000005
【図４】
2004020276.tif 000006
【図５】
2004020276.tif 000007
【図６】
2004020276.tif 000008
【図７】
2004020276.tif 000009
【図８】
2004020276.tif 000010
【図９】
2004020276.tif 000011
【図１０】
2004020276.tif 000012
【図１１】
2004020276.tif 000013
【図１２】
2004020276.tif 000014
【図１３】
2004020276.tif 000015
【図１４】
2004020276.tif 000016
【図１５】
2004020276.tif 000017
【図１６】
2004020276.tif 000018
【図１７】
2004020276.tif 000019